【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
ビデオ・マネージャー及びビデオ・タイトル・セットを備える光ディスクからビデオ・タイトルを再生する再生システムにおいて、
前記ビデオ・マネージャーは、ビデオ・マネージャー情報並びに第１のメニュー用ビデオ・オブジェクト・セットから構成され、
前記ビデオ・タイトル・セットは、タイトル用ビデオ・オブジェクト・セット、第２のメニュー用ビデオ・オブジェクト・セット及びビデオ・タイトル・セット情報を含み、
前記タイトル用並びに前記第１及び第２のメニュー用ビデオ・オブジェクト・セットには、オーディオ・ストリーム、副映像ストリーム及びビデオ・データが格納され、
前記タイトル用並びに前記第１及び第２のメニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせであって１再生単位に定められ、プログラム・チェーンが前記セルの集合に定められ、
前記ビデオ・マネージャー情報は、ビデオ管理情報管理テーブル、タイトル・サーチ・ポインタ・テーブル及び第１のメニュー用プログラム・チェーン情報ユニット・テーブルを備え、
前記ビデオ管理情報管理テーブルには、前記第１のメニュー用ビデオ・オブジェクト・セットのスタート・アドレス及び前記タイトル・サーチ・ポインタ・テーブルの開始アドレスが記述され、
前記タイトル・サーチ・ポインタ・テーブルには、前記ビデオ・タイトル・セットのビデオ・タイトル・セット番号、プログラム・チェーン番号及び当該ビデオ・タイトル・セット番号で指定されるビデオ・タイトル・セットの開始アドレスが記述され、
前記第１のメニュー用プログラム・チェーン情報ユニット・テーブルは、ビデオ・マネージャー・メニュー言語ユニット及びこのビデオ・マネージャー・メニュー言語ユニットをサーチするためのビデオ・マネージャー・メニュー言語ユニット・サーチ・ポインタを有し、このビデオ・マネージャー・メニュー言語ユニット・サーチ・ポインタには、ビデオ・マネージャー・メニュー言語コード及び前記ビデオ・マネージャー・メニュー言語ユニットのスタート・アドレスが記述され、
前記ビデオ・マネージャー・メニュー言語ユニットは、第１のメニュー再生の為の第１のメニュー用プログラム・チェーンの再生を定める第１のメニュー用プログラム・チェーン情報及びこの第１のメニュー用プログラム・チェーン情報をサーチするための第１のメニュー用プログラム・チェーン情報サーチ・ポインタを有し、
前記ビデオ・タイトル・セット情報は、ビデオ・タイトル・セット情報管理テーブル、タイトル再生の為のタイトル用プログラム・チェーンを定めるタイトル用プログラム・チェーン情報テーブル並びに第２のメニュー再生の為の第２のメニュー用プログラム・チェーンを定める第２のメニュー用プログラム・チェーン情報ユニット・テーブルを含み、
前記ビデオ・タイトル・セット情報管理テーブルには、前記タイトル用プログラム・チェーン情報テーブルのスタート・アドレス及び前記第２のメニュー用プログラム・チェーン情報ユニット・テーブルのスタート・アドレスが記述され、
前記第２のメニュー用プログラム・チェーン情報ユニット・テーブルは、ビデオ・タイトル・セット・メニュー言語ユニット及びこのビデオ・タイトル・セット・メニュー言語ユニットをサーチする為のビデオ・タイトル・セット・メニュー言語ユニット・サーチ・ポインタを有し、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記第２のメニュー用プログラム・チェーンの再生を定める第２のメニュー用プログラム・チェーン情報及びこの第２のメニュー用プログラム・チェーン情報をサーチするための第２のメニュー用プログラム・チェーン情報サーチ・ポインタを有し、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するタイトル用プログラム・チェーン情報サーチ・ポインタを有し、
前記タイトル用プログラム・チェーン情報は、前記タイトル用プログラム・チェーン内における前記セルの再生順序を特定する為にセル再生情報が再生順に記述されたセル再生情報テーブルを含み、
前記セル再生情報は、当該セルを構成する最初のビデオ・オブジェクト・ユニットのアドレス及び最後のビデオ・オブジェクト・ユニットのアドレスを含み、
前記再生システムは、
再生装置に固有の言語コードを備え、
前記第１のメニュー用プログラム・チェーン情報ユニット・テーブルを獲得し、前記ビデオ・マネージャー・メニュー言語ユニット・サーチ・ポインタ内の前記ビデオ・マネージャー・メニュー言語コードと前記固有の言語コードとを比較して前記ビデオ・マネージャー・メニュー言語コードと前記固有の言語コードが一致する場合には、前記ビデオ・マネージャー・メニュー言語ユニットを獲得し、前記第１のメニュー用プログラム・チェーンを再生させ、前記ビデオ・タイトル・セット情報を獲得し、前記ビデオ・タイトル・セット・メニュー言語コードと当該再生装置に固有の言語コードとを比較して前記ビデオ・タイトル・セット・メニュー言語コードと前記固有の言語コードとの一致で、前記ビデオ・タイトル・セット・メニュー言語ユニットを獲得し、前記第２のメニュー用プログラム・チェーンを再生させ、前記タイトル・サーチ・ポインタ・テーブルを参照して前記ビデオ・タイトル・セットを獲得し、前記タイトル用プログラム・チェーン情報から前記セル再生情報テーブルを獲得して前記タイトル用プログラム・チェーンを再生させる獲得手段と、
前記セル内の前記ビデオ・オブジェクト・ユニットに含まれる前記ビデオ・パック、オーディオ・パック及び副映像パックから取り出したビデオ、オーディオ及び副映像ストリームをデコードし、映像信号及びオーディオ信号として出力させる出力手段と、
を具備することを特徴とする再生システム。
【請求項２】
ビデオ・マネージャー及びビデオ・タイトル・セットを備える光ディスクからビデオ・タイトルを再生する再生方法において、
前記ビデオ・マネージャーは、ビデオ・マネージャー情報並びに第１のメニュー用ビデオ・オブジェクト・セットから構成され、
前記ビデオ・タイトル・セットは、タイトル用ビデオ・オブジェクト・セット、第２のメニュー用ビデオ・オブジェクト・セット及びビデオ・タイトル・セット情報を含み、
前記タイトル用並びに前記第１及び第２のメニュー用ビデオ・オブジェクト・セットには、オーディオ・ストリーム、副映像ストリーム及びビデオ・データが格納され、
前記タイトル用並びに前記第１及び第２のメニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせであって１再生単位に定められ、プログラム・チェーンが前記セルの集合に定められ、
前記ビデオ・マネージャー情報は、ビデオ管理情報管理テーブル、タイトル・サーチ・ポインタ・テーブル及び第１のメニュー用プログラム・チェーン情報ユニット・テーブルを備え、
前記ビデオ管理情報管理テーブルには、前記第１のメニュー用ビデオ・オブジェクト・セットのスタート・アドレス及び前記タイトル・サーチ・ポインタ・テーブルの開始アドレスが記述され、
前記タイトル・サーチ・ポインタ・テーブルには、前記ビデオ・タイトル・セットのビデオ・タイトル・セット番号、プログラム・チェーン番号及び当該ビデオ・タイトル・セット番号で指定されるビデオ・タイトル・セットの開始アドレスが記述され、
前記第１のメニュー用プログラム・チェーン情報ユニット・テーブルは、ビデオ・マネージャー・メニュー言語ユニット及びこのビデオ・マネージャー・メニュー言語ユニットをサーチするためのビデオ・マネージャー・メニュー言語ユニット・サーチ・ポインタを有し、このビデオ・マネージャー・メニュー言語ユニット・サーチ・ポインタには、ビデオ・マネージャー・メニュー言語コード及び前記ビデオ・マネージャー・メニュー言語ユニットのスタート・アドレスが記述され、
前記ビデオ・マネージャー・メニュー言語ユニットは、第１のメニュー再生の為の第１のメニュー用プログラム・チェーンの再生を定める第１のメニュー用プログラム・チェーン情報及びこの第１のメニュー用プログラム・チェーン情報をサーチするための第１のメニュー用プログラム・チェーン情報サーチ・ポインタを有し、
前記ビデオ・タイトル・セット情報は、ビデオ・タイトル・セット情報管理テーブル、タイトル再生の為のタイトル用プログラム・チェーンを定めるタイトル用プログラム・チェーン情報テーブル並びに第２のメニュー再生の為の第２のメニュー用プログラム・チェーンを定める第２のメニュー用プログラム・チェーン情報ユニット・テーブルを含み、
前記ビデオ・タイトル・セット情報管理テーブルには、前記タイトル用プログラム・チェーン情報テーブルのスタート・アドレス及び前記第２のメニュー用プログラム・チェーン情報ユニット・テーブルのスタート・アドレスが記述され、
前記第２のメニュー用プログラム・チェーン情報ユニット・テーブルは、ビデオ・タイトル・セット・メニュー言語ユニット及びこのビデオ・タイトル・セット・メニュー言語ユニットをサーチする為のビデオ・タイトル・セット・メニュー言語ユニット・サーチ・ポインタを有し、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記第２のメニュー用プログラム・チェーンの再生を定める第２のメニュー用プログラム・チェーン情報及びこの第２のメニュー用プログラム・チェーン情報をサーチするための第２のメニュー用プログラム・チェーン情報サーチ・ポインタを有し、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するタイトル用プログラム・チェーン情報サーチ・ポインタを有し、
前記タイトル用プログラム・チェーン情報は、前記タイトル用プログラム・チェーン内における前記セルの再生順序を特定する為にセル再生情報が再生順に記述されたセル再生情報テーブルを含み、
前記セル再生情報は、当該セルを構成する最初のビデオ・オブジェクト・ユニットのアドレス及び最後のビデオ・オブジェクト・ユニットのアドレスを含み、
前記再生方法では、
前記第１のメニュー用プログラム・チェーン情報ユニット・テーブルを獲得し、前記ビデオ・マネージャー・メニュー言語ユニット・サーチ・ポインタ内の前記ビデオ・マネージャー・メニュー言語コードと当該再生方法に固有の言語コードとを比較して前記ビデオ・マネージャー・メニュー言語コードと前記固有の言語コードが一致する場合には、前記ビデオ・マネージャー・メニュー言語ユニットを獲得し、前記第１のメニュー用プログラム・チェーンを再生させ、
前記ビデオ・タイトル・セット情報を獲得し、前記ビデオ・タイトル・セット・メニュー言語コードと前記固有の言語コードとを比較して前記ビデオ・タイトル・セット・メニュー言語コードと前記固有の言語コードとの一致で、前記ビデオ・タイトル・セット・メニュー言語ユニットを獲得し、前記第２のメニュー用プログラム・チェーンを再生させ、
前記タイトル・サーチ・ポインタ・テーブルを参照して前記ビデオ・タイトル・セットを獲得し、前記タイトル用プログラム・チェーン情報から前記セル再生情報テーブルを獲得して前記タイトル用プログラム・チェーンを再生させ、
前記セル内の前記ビデオ・オブジェクト・ユニットに含まれる前記ビデオ・パック、オーディオ・パック及び副映像パックから取り出したビデオ、オーディオ及び副映像ストリームをデコードし、映像信号及びオーディオ信号として出力させることを特徴とする再生方法。
【請求項３】
第１及び第２のメニュー用ビデオ・データ、オーディオ・ストリーム及び副映像ストリーム並びにタイトル用ビデオ・データ、オーディオ・ストリーム及び副映像ストリームを用意し、
前記タイトル用ビデオ・データ、オーディオ・ストリーム及び副映像ストリームからタイトル用ビデオ・オブジェクト・セットの構造並びに前記第１及び第２のメニュー用ビデオ・データ、オーディオ・ストリーム及び副映像ストリームから第１及び第２のメニュー用ビデオ・オブジェクト・セットの構造を準備し、この準備において、前記タイトル用並びに前記第１及び第２のメニュー用ビデオ・オブジェクト・セットは、セルから構成され、当該セルはビデオ・オブジェクト・ユニットで構成され、当該ビデオ・オブジェクト・ユニットはビデオ、オーディオ及び副映像パックの組み合わせであって１再生単位に定め、プログラム・チェーンを前記セルの集合に定め、
前記第２のメニュー用及びタイトル用ビデオ・オブジェクト・セットのスタート・アドレスが記述されるタイトル・セット情報管理テーブル、第２のメニュー再生の為の第２のメニュー用プログラム・チェーンを定める第２のメニュー用プログラム・チェーン情報ユニット・テーブル及びタイトル再生の為のタイトル用プログラム・チェーンを定めるタイトル用プログラム・チェーン情報テーブルを用意し、このタイトル・セット情報管理テーブル、前記第２のメニュー用プログラム・チェーン情報ユニット・テーブル及び前記タイトル用プログラム・チェーン情報テーブルを含むビデオ・タイトル・セット情報を準備し、当該ビデオ・タイトル・セット情報及び前記タイトル用ビデオ・オブジェクト・セットを備えたビデオ・タイトル・セットを構成し、
前記第１のメニュー用ビデオ・オブジェクト・セットのスタート・アドレスが記述されるビデオ管理情報管理テーブル、第１のメニュー再生の為の第１のメニュー用プログラム・チェーンを定める第１のメニュー用プログラム・チェーン情報ユニット・テーブルを用意し、このビデオ管理情報管理テーブル及び前記第１のメニュー用プログラム・チェーン情報ユニット・テーブルを含むビデオ・マネージャー情報を準備し、前記ビデオ・マネージャー情報並びに前記第１のメニュー用ビデオ・オブジェクト・セットを備えたビデオ・マネージャーを構成し、
光ディスクに前記ビデオ・マネージャー及び前記ビデオ・タイトル・セットを物理的に記録する光ディスクの記録方法において、
前記ビデオ・マネージャー情報は、タイトル・サーチ・ポインタ・テーブルを含み、前記ビデオ管理情報管理テーブルには、前記タイトル・サーチ・ポインタ・テーブルの開始アドレスが記述され、前記タイトル・サーチ・ポインタ・テーブルには、前記ビデオ・タイトル・セットのビデオ・タイトル・セット番号、プログラム・チェーン番号及び当該ビデオ・タイトル・セット番号で指定されるビデオ・タイトル・セットの開始アドレスが記述され、
前記第１のメニュー用プログラム・チェーン情報ユニット・テーブルは、ビデオ・マネージャー・メニュー言語ユニット及びこのビデオ・マネージャー・メニュー言語ユニットをサーチするためのビデオ・マネージャー・メニュー言語ユニット・サーチ・ポインタを有し、
このビデオ・マネージャー・メニュー言語ユニット・サーチ・ポインタには、ビデオ・マネージャー・メニュー言語コード及び前記ビデオ・マネージャー・メニュー言語ユニットのスタート・アドレスが記述され、
前記ビデオ・マネージャー・メニュー言語ユニットは、前記第１のメニュー用プログラム・チェーンの再生を定める第１のメニュー用プログラム・チェーン情報及びこの第１のメニュー用プログラム・チェーン情報をサーチするための第１のメニュー用プログラム・チェーン情報サーチ・ポインタを含み、
前記第２のメニュー用プログラム・チェーン情報ユニット・テーブルは、ビデオ・タイトル・セット・メニュー言語ユニット及びこのビデオ・タイトル・セット・メニュー言語ユニットをサーチする為のビデオ・タイトル・セット・メニュー言語ユニット・サーチ・ポインタを有し、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記第２のメニュー用プログラム・チェーンの再生を定める第２のメニュー用プログラム・チェーン情報及びこの第２のメニュー用プログラム・チェーン情報をサーチするための第２のメニュー用プログラム・チェーン情報サーチ・ポインタを有し、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのサーチ・ポインタを有し、
前記タイトル用プログラム・チェーン情報は、前記タイトル用プログラム・チェーン内における前記セルの再生順序を特定する為にセル再生情報が再生順に記述されたセル再生情報テーブルを含み、
前記セル再生情報は、当該セルを構成する最初のビデオ・オブジェクト・ユニットのアドレス及び最後のビデオ・オブジェクト・ユニットのアドレスを含み、
前記第１のメニュー用プログラム・チェーン情報ユニット・テーブルを獲得し、前記ビデオ・マネージャー・メニュー言語ユニット・サーチ・ポインタ内の前記ビデオ・マネージャー・メニュー言語コードと再生装置に固有の言語コードとを比較して前記ビデオ・マネージャー・メニュー言語コードと前記固有の言語コードが一致する場合には、前記ビデオ・マネージャー・メニュー言語ユニットを獲得し、前記第１のメニュー用プログラム・チェーンを再生させ、
前記ビデオ・タイトル・セット情報を獲得し、前記ビデオ・タイトル・セット・メニュー言語コードと前記固有の言語コードとを比較して前記ビデオ・タイトル・セット・メニュー言語コードと前記固有の言語コードとの一致で、前記ビデオ・タイトル・セット・メニュー言語ユニットを獲得し、前記第２のメニュー用プログラム・チェーンを再生させ、
前記タイトル・サーチ・ポインタ・テーブルを参照して前記ビデオ・タイトル・セットを獲得し、前記タイトル用プログラム・チェーン情報から前記セル再生情報テーブルを獲得して前記タイトル用プログラム・チェーンを再生させるように前記ビデオ・タイトル・セット及び前記ビデオ・マネージャーを光ディスクに記録することを特徴とする光ディスクの記録方法。
【手続補正２】
【補正対象書類名】明細書
【補正対象項目名】０００５
【補正方法】変更
【補正の内容】
【０００５】
本発明によれば、
ビデオ・マネージャー及びビデオ・タイトル・セットを備える光ディスクからビデオ・タイトルを再生する再生システムにおいて、
前記ビデオ・マネージャーは、ビデオ・マネージャー情報並びに第１のメニュー用ビデオ・オブジェクト・セットから構成され、
前記ビデオ・タイトル・セットは、タイトル用ビデオ・オブジェクト・セット、第２のメニュー用ビデオ・オブジェクト・セット及びビデオ・タイトル・セット情報を含み、
前記タイトル用並びに前記第１及び第２のメニュー用ビデオ・オブジェクト・セットには、オーディオ・ストリーム、副映像ストリーム及びビデオ・データが格納され、
前記タイトル用並びに前記第１及び第２のメニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせであって１再生単位に定められ、プログラム・チェーンが前記セルの集合に定められ、
前記ビデオ・マネージャー情報は、ビデオ管理情報管理テーブル、タイトル・サーチ・ポインタ・テーブル及び第１のメニュー用プログラム・チェーン情報ユニット・テーブルを備え、
前記ビデオ管理情報管理テーブルには、前記第１のメニュー用ビデオ・オブジェクト・セットのスタート・アドレス及び前記タイトル・サーチ・ポインタ・テーブルの開始アドレスが記述され、
前記タイトル・サーチ・ポインタ・テーブルには、前記ビデオ・タイトル・セットのビデオ・タイトル・セット番号、プログラム・チェーン番号及び当該ビデオ・タイトル・セット番号で指定されるビデオ・タイトル・セットの開始アドレスが記述され、
前記第１のメニュー用プログラム・チェーン情報ユニット・テーブルは、ビデオ・マネージャー・メニュー言語ユニット及びこのビデオ・マネージャー・メニュー言語ユニットをサーチするためのビデオ・マネージャー・メニュー言語ユニット・サーチ・ポインタを有し、このビデオ・マネージャー・メニュー言語ユニット・サーチ・ポインタには、ビデオ・マネージャー・メニュー言語コード及び前記ビデオ・マネージャー・メニュー言語ユニットのスタート・アドレスが記述され、
前記ビデオ・マネージャー・メニュー言語ユニットは、第１のメニュー再生の為の第１のメニュー用プログラム・チェーンの再生を定める第１のメニュー用プログラム・チェーン情報及びこの第１のメニュー用プログラム・チェーン情報をサーチするための第１のメニュー用プログラム・チェーン情報サーチ・ポインタを有し、
前記ビデオ・タイトル・セット情報は、ビデオ・タイトル・セット情報管理テーブル、タイトル再生の為のタイトル用プログラム・チェーンを定めるタイトル用プログラム・チェーン情報テーブル並びに第２のメニュー再生の為の第２のメニュー用プログラム・チェーンを定める第２のメニュー用プログラム・チェーン情報ユニット・テーブルを含み、
前記ビデオ・タイトル・セット情報管理テーブルには、前記タイトル用プログラム・チェーン情報テーブルのスタート・アドレス及び前記第２のメニュー用プログラム・チェーン情報ユニット・テーブルのスタート・アドレスが記述され、
前記第２のメニュー用プログラム・チェーン情報ユニット・テーブルは、ビデオ・タイトル・セット・メニュー言語ユニット及びこのビデオ・タイトル・セット・メニュー言語ユニットをサーチする為のビデオ・タイトル・セット・メニュー言語ユニット・サーチ・ポインタを有し、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記第２のメニュー用プログラム・チェーンの再生を定める第２のメニュー用プログラム・チェーン情報及びこの第２のメニュー用プログラム・チェーン情報をサーチするための第２のメニュー用プログラム・チェーン情報サーチ・ポインタを有し、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するタイトル用プログラム・チェーン情報サーチ・ポインタを有し、
前記タイトル用プログラム・チェーン情報は、前記タイトル用プログラム・チェーン内における前記セルの再生順序を特定する為にセル再生情報が再生順に記述されたセル再生情報テーブルを含み、
前記セル再生情報は、当該セルを構成する最初のビデオ・オブジェクト・ユニットのアドレス及び最後のビデオ・オブジェクト・ユニットのアドレスを含み、
前記再生システムは、
再生装置に固有の言語コードを備え、
前記第１のメニュー用プログラム・チェーン情報ユニット・テーブルを獲得し、前記ビデオ・マネージャー・メニュー言語ユニット・サーチ・ポインタ内の前記ビデオ・マネージャー・メニュー言語コードと前記固有の言語コードとを比較して前記ビデオ・マネージャー・メニュー言語コードと前記固有の言語コードが一致する場合には、前記ビデオ・マネージャー・メニュー言語ユニットを獲得し、前記第１のメニュー用プログラム・チェーンを再生させ、前記ビデオ・タイトル・セット情報を獲得し、前記ビデオ・タイトル・セット・メニュー言語コードと当該再生装置に固有の言語コードとを比較して前記ビデオ・タイトル・セット・メニュー言語コードと前記固有の言語コードとの一致で、前記ビデオ・タイトル・セット・メニュー言語ユニットを獲得し、前記第２のメニュー用プログラム・チェーンを再生させ、前記タイトル・サーチ・ポインタ・テーブルを参照して前記ビデオ・タイトル・セットを獲得し、前記タイトル用プログラム・チェーン情報から前記セル再生情報テーブルを獲得して前記タイトル用プログラム・チェーンを再生させる獲得手段と、
前記セル内の前記ビデオ・オブジェクト・ユニットに含まれる前記ビデオ・パック、オーディオ・パック及び副映像パックから取り出したビデオ、オーディオ及び副映像ストリームをデコードし、映像信号及びオーディオ信号として出力させる出力手段と、
を具備することを特徴とする再生システムが提供される。
【手続補正３】
【補正対象書類名】明細書
【補正対象項目名】０００６
【補正方法】変更
【補正の内容】
【０００６】
また、本発明によれば、
ビデオ・マネージャー及びビデオ・タイトル・セットを備える光ディスクからビデオ・タイトルを再生する再生方法において、
前記ビデオ・マネージャーは、ビデオ・マネージャー情報並びに第１のメニュー用ビデオ・オブジェクト・セットから構成され、
前記ビデオ・タイトル・セットは、タイトル用ビデオ・オブジェクト・セット、第２のメニュー用ビデオ・オブジェクト・セット及びビデオ・タイトル・セット情報を含み、
前記タイトル用並びに前記第１及び第２のメニュー用ビデオ・オブジェクト・セットには、オーディオ・ストリーム、副映像ストリーム及びビデオ・データが格納され、
前記タイトル用並びに前記第１及び第２のメニュー用ビデオ・オブジェクト・セットは、セルから構成され、前記セルは、ビデオ・オブジェクト・ユニットで構成され、前記ビデオ・オブジェクト・ユニットは、ビデオ、オーディオ及び副映像パックの組み合わせであって１再生単位に定められ、プログラム・チェーンが前記セルの集合に定められ、
前記ビデオ・マネージャー情報は、ビデオ管理情報管理テーブル、タイトル・サーチ・ポインタ・テーブル及び第１のメニュー用プログラム・チェーン情報ユニット・テーブルを備え、
前記ビデオ管理情報管理テーブルには、前記第１のメニュー用ビデオ・オブジェクト・セットのスタート・アドレス及び前記タイトル・サーチ・ポインタ・テーブルの開始アドレスが記述され、
前記タイトル・サーチ・ポインタ・テーブルには、前記ビデオ・タイトル・セットのビデオ・タイトル・セット番号、プログラム・チェーン番号及び当該ビデオ・タイトル・セット番号で指定されるビデオ・タイトル・セットの開始アドレスが記述され、
前記第１のメニュー用プログラム・チェーン情報ユニット・テーブルは、ビデオ・マネージャー・メニュー言語ユニット及びこのビデオ・マネージャー・メニュー言語ユニットをサーチするためのビデオ・マネージャー・メニュー言語ユニット・サーチ・ポインタを有し、このビデオ・マネージャー・メニュー言語ユニット・サーチ・ポインタには、ビデオ・マネージャー・メニュー言語コード及び前記ビデオ・マネージャー・メニュー言語ユニットのスタート・アドレスが記述され、
前記ビデオ・マネージャー・メニュー言語ユニットは、第１のメニュー再生の為の第１のメニュー用プログラム・チェーンの再生を定める第１のメニュー用プログラム・チェーン情報及びこの第１のメニュー用プログラム・チェーン情報をサーチするための第１のメニュー用プログラム・チェーン情報サーチ・ポインタを有し、
前記ビデオ・タイトル・セット情報は、ビデオ・タイトル・セット情報管理テーブル、タイトル再生の為のタイトル用プログラム・チェーンを定めるタイトル用プログラム・チェーン情報テーブル並びに第２のメニュー再生の為の第２のメニュー用プログラム・チェーンを定める第２のメニュー用プログラム・チェーン情報ユニット・テーブルを含み、
前記ビデオ・タイトル・セット情報管理テーブルには、前記タイトル用プログラム・チェーン情報テーブルのスタート・アドレス及び前記第２のメニュー用プログラム・チェーン情報ユニット・テーブルのスタート・アドレスが記述され、
前記第２のメニュー用プログラム・チェーン情報ユニット・テーブルは、ビデオ・タイトル・セット・メニュー言語ユニット及びこのビデオ・タイトル・セット・メニュー言語ユニットをサーチする為のビデオ・タイトル・セット・メニュー言語ユニット・サーチ・ポインタを有し、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記第２のメニュー用プログラム・チェーンの再生を定める第２のメニュー用プログラム・チェーン情報及びこの第２のメニュー用プログラム・チェーン情報をサーチするための第２のメニュー用プログラム・チェーン情報サーチ・ポインタを有し、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのプログラム・チェーン番号に相当するタイトル用プログラム・チェーン情報サーチ・ポインタを有し、
前記タイトル用プログラム・チェーン情報は、前記タイトル用プログラム・チェーン内における前記セルの再生順序を特定する為にセル再生情報が再生順に記述されたセル再生情報テーブルを含み、
前記セル再生情報は、当該セルを構成する最初のビデオ・オブジェクト・ユニットのアドレス及び最後のビデオ・オブジェクト・ユニットのアドレスを含み、
前記再生方法では、
前記第１のメニュー用プログラム・チェーン情報ユニット・テーブルを獲得し、前記ビデオ・マネージャー・メニュー言語ユニット・サーチ・ポインタ内の前記ビデオ・マネージャー・メニュー言語コードと当該再生方法に固有の言語コードとを比較して前記ビデオ・マネージャー・メニュー言語コードと前記固有の言語コードが一致する場合には、前記ビデオ・マネージャー・メニュー言語ユニットを獲得し、前記第１のメニュー用プログラム・チェーンを再生させ、
前記ビデオ・タイトル・セット情報を獲得し、前記ビデオ・タイトル・セット・メニュー言語コードと前記固有の言語コードとを比較して前記ビデオ・タイトル・セット・メニュー言語コードと前記固有の言語コードとの一致で、前記ビデオ・タイトル・セット・メニュー言語ユニットを獲得し、前記第２のメニュー用プログラム・チェーンを再生させ、
前記タイトル・サーチ・ポインタ・テーブルを参照して前記ビデオ・タイトル・セットを獲得し、前記タイトル用プログラム・チェーン情報から前記セル再生情報テーブルを獲得して前記タイトル用プログラム・チェーンを再生させ、
前記セル内の前記ビデオ・オブジェクト・ユニットに含まれる前記ビデオ・パック、オーディオ・パック及び副映像パックから取り出したビデオ、オーディオ及び副映像ストリームをデコードし、映像信号及びオーディオ信号として出力させることを特徴とする再生方法が提供される。
【手続補正４】
【補正対象書類名】明細書
【補正対象項目名】０００７
【補正方法】変更
【補正の内容】
【０００７】
更に、本発明によれば、
第１及び第２のメニュー用ビデオ・データ、オーディオ・ストリーム及び副映像ストリーム並びにタイトル用ビデオ・データ、オーディオ・ストリーム及び副映像ストリームを用意し、
前記タイトル用ビデオ・データ、オーディオ・ストリーム及び副映像ストリームからタイトル用ビデオ・オブジェクト・セットの構造並びに前記第１及び第２のメニュー用ビデオ・データ、オーディオ・ストリーム及び副映像ストリームから第１及び第２のメニュー用ビデオ・オブジェクト・セットの構造を準備し、この準備において、前記タイトル用並びに前記第１及び第２のメニュー用ビデオ・オブジェクト・セットは、セルから構成され、当該セルはビデオ・オブジェクト・ユニットで構成され、当該ビデオ・オブジェクト・ユニットはビデオ、オーディオ及び副映像パックの組み合わせであって１再生単位に定め、プログラム・チェーンを前記セルの集合に定め、
前記第２のメニュー用及びタイトル用ビデオ・オブジェクト・セットのスタート・アドレスが記述されるタイトル・セット情報管理テーブル、第２のメニュー再生の為の第２のメニュー用プログラム・チェーンを定める第２のメニュー用プログラム・チェーン情報ユニット・テーブル及びタイトル再生の為のタイトル用プログラム・チェーンを定めるタイトル用プログラム・チェーン情報テーブルを用意し、このタイトル・セット情報管理テーブル、前記第２のメニュー用プログラム・チェーン情報ユニット・テーブル及び前記タイトル用プログラム・チェーン情報テーブルを含むビデオ・タイトル・セット情報を準備し、当該ビデオ・タイトル・セット情報及び前記タイトル用ビデオ・オブジェクト・セットを備えたビデオ・タイトル・セットを構成し、
前記第１のメニュー用ビデオ・オブジェクト・セットのスタート・アドレスが記述されるビデオ管理情報管理テーブル、第１のメニュー再生の為の第１のメニュー用プログラム・チェーンを定める第１のメニュー用プログラム・チェーン情報ユニット・テーブルを用意し、このビデオ管理情報管理テーブル及び前記第１のメニュー用プログラム・チェーン情報ユニット・テーブルを含むビデオ・マネージャー情報を準備し、前記ビデオ・マネージャー情報並びに前記第１のメニュー用ビデオ・オブジェクト・セットを備えたビデオ・マネージャーを構成し、
光ディスクに前記ビデオ・マネージャー及び前記ビデオ・タイトル・セットを物理的に記録する光ディスクの記録方法において、
前記ビデオ・マネージャー情報は、タイトル・サーチ・ポインタ・テーブルを含み、前記ビデオ管理情報管理テーブルには、前記タイトル・サーチ・ポインタ・テーブルの開始アドレスが記述され、前記タイトル・サーチ・ポインタ・テーブルには、前記ビデオ・タイトル・セットのビデオ・タイトル・セット番号、プログラム・チェーン番号及び当該ビデオ・タイトル・セット番号で指定されるビデオ・タイトル・セットの開始アドレスが記述され、
前記第１のメニュー用プログラム・チェーン情報ユニット・テーブルは、ビデオ・マネージャー・メニュー言語ユニット及びこのビデオ・マネージャー・メニュー言語ユニットをサーチするためのビデオ・マネージャー・メニュー言語ユニット・サーチ・ポインタを有し、
このビデオ・マネージャー・メニュー言語ユニット・サーチ・ポインタには、ビデオ・マネージャー・メニュー言語コード及び前記ビデオ・マネージャー・メニュー言語ユニットのスタート・アドレスが記述され、
前記ビデオ・マネージャー・メニュー言語ユニットは、前記第１のメニュー用プログラム・チェーンの再生を定める第１のメニュー用プログラム・チェーン情報及びこの第１のメニュー用プログラム・チェーン情報をサーチするための第１のメニュー用プログラム・チェーン情報サーチ・ポインタを含み、
前記第２のメニュー用プログラム・チェーン情報ユニット・テーブルは、ビデオ・タイトル・セット・メニュー言語ユニット及びこのビデオ・タイトル・セット・メニュー言語ユニットをサーチする為のビデオ・タイトル・セット・メニュー言語ユニット・サーチ・ポインタを有し、このビデオ・タイトル・セット・メニュー言語ユニット・サーチ・ポインタには、ビデオ・タイトル・セット・メニュー言語コード及び前記ビデオ・タイトル・セット・メニュー言語ユニットのスタート・アドレスが記述され、
前記ビデオ・タイトル・セット・メニュー言語ユニットは、前記第２のメニュー用プログラム・チェーンの再生を定める第２のメニュー用プログラム・チェーン情報及びこの第２のメニュー用プログラム・チェーン情報をサーチするための第２のメニュー用プログラム・チェーン情報サーチ・ポインタを有し、
前記タイトル用プログラム・チェーン情報テーブルは、前記タイトル用プログラム・チェーンの再生を定めるタイトル用プログラム・チェーン情報及びこのタイトル用プログラム・チェーン情報をサーチするためのサーチ・ポインタを有し、
前記タイトル用プログラム・チェーン情報は、前記タイトル用プログラム・チェーン内における前記セルの再生順序を特定する為にセル再生情報が再生順に記述されたセル再生情報テーブルを含み、
前記セル再生情報は、当該セルを構成する最初のビデオ・オブジェクト・ユニットのアドレス及び最後のビデオ・オブジェクト・ユニットのアドレスを含み、
前記第１のメニュー用プログラム・チェーン情報ユニット・テーブルを獲得し、前記ビデオ・マネージャー・メニュー言語ユニット・サーチ・ポインタ内の前記ビデオ・マネージャー・メニュー言語コードと再生装置に固有の言語コードとを比較して前記ビデオ・マネージャー・メニュー言語コードと前記固有の言語コードが一致する場合には、前記ビデオ・マネージャー・メニュー言語ユニットを獲得し、前記第１のメニュー用プログラム・チェーンを再生させ、
前記ビデオ・タイトル・セット情報を獲得し、前記ビデオ・タイトル・セット・メニュー言語コードと前記固有の言語コードとを比較して前記ビデオ・タイトル・セット・メニュー言語コードと前記固有の言語コードとの一致で、前記ビデオ・タイトル・セット・メニュー言語ユニットを獲得し、前記第２のメニュー用プログラム・チェーンを再生させ、
前記タイトル・サーチ・ポインタ・テーブルを参照して前記ビデオ・タイトル・セットを獲得し、前記タイトル用プログラム・チェーン情報から前記セル再生情報テーブルを獲得して前記タイトル用プログラム・チェーンを再生させるように前記ビデオ・タイトル・セット及び前記ビデオ・マネージャーを光ディスクに記録することを特徴とする光ディスクの記録方法が提供される。